【手続補正書】
【提出日】平成28年9月1日(2016.9.1)
【手続補正１】
【補正対象書類名】特許請求の範囲
【補正対象項目名】全文
【補正方法】変更
【補正の内容】
【特許請求の範囲】
【請求項１】
発光制御素子と接続する第１の電極と、
前記第１の電極の周縁部を埋設すると共に前記第１の電極の周縁部より内側領域を露出させる開口部を有する第１の絶縁層と、
前記第１の絶縁層の開口部において、前記第１の電極と接し、前記第１の電極の上面部から前記第１の絶縁層の上表面にかけて連続して設けられた第２の電極と、
前記第２の電極の周縁部を覆う第２の絶縁層と、
前記第２の電極の上面部から前記第２の絶縁層の上面部平面領域に沿って設けられた有機エレクトロルミネセンス層と、
前記有機エレクトロルミネセンス層上に設けられた第３の電極と、を有し、
前記第２の電極は、前記第１の電極と前記第１の絶縁層との間で段差部を有し、
前記段差部のある領域を含み、前記第２の電極、前記有機エレクトロルミネセンス層及び前記第３の電極が重畳する領域が発光領域であること
を特徴とする有機エレクトロルミネセンス装置。
【請求項２】
前記第２の電極は光反射面を有し、前記段差部において、前記光反射面が屈曲している、請求項１に記載の有機エレクトロルミネセンス装置。
【請求項３】
前記第２の電極が、アルミニウム（Ａｌ）又は銀（Ａｇ）による金属層と、前記金属層の上面に設けられた透明導電膜層とを有する、請求項２に記載の有機エレクトロルミネセンス装置。
【請求項４】
発光制御素子と接続する第１の電極と、
前記第１の電極の周縁部を埋設すると共に前記第１の電極の周縁部より内側領域を露出させる開口部を有する第１の絶縁層と、
前記第１の絶縁層の開口部において、前記第１の電極と接し、前記第１の電極の上面部から前記第１の絶縁層の上表面にかけて連続して設けられた第２の電極と、
前記第２の電極の周縁部を覆う第２の絶縁層と、
前記第１の絶縁層の開口部の開口周縁部を覆う第３の絶縁層と、
前記第２の電極の上面部から前記第２の絶縁層の上面部平面領域及び前記第３の絶縁層の表面部に沿って設けられた有機エレクトロルミネセンス層と、
前記有機エレクトロルミネセンス層上に設けられた第３の電極と、を有し、
前記第３の絶縁層の開口部であって、前記第２の電極、前記有機エレクトロルミネセンス層及び前記第３の電極が重畳する領域が発光領域であること
を特徴とする有機エレクトロルミネセンス装置。
【請求項５】
前記第２の電極は光反射面を有し、前記第２の電極は、前記第１の電極と前記第１の絶縁層とによる段差部に沿って設けられ、前記段差部において、前記光反射面が屈曲している、請求項４に記載の有機エレクトロルミネセンス装置。
【請求項６】
前記第２の電極が、アルミニウム（Ａｌ）又は銀（Ａｇ）による金属層と、前記金属層の上面に設けられた透明導電膜層とを有する、請求項５に記載の有機エレクトロルミネセンス装置。
【請求項７】
前記第３の絶縁層が透光性を有する、請求項４に記載の有機エレクトロルミネセンス装置。
【請求項８】
発光制御素子と接続する第１の電極と、
前記第１の電極を露出させ、前記第１の電極の外側領域に開口端部を有する第１の絶縁層と、
前記第１の電極と接し、前記第１の電極の上面部から前記第１の絶縁層の開口端部に沿って連続して設けられた第２の電極と、
前記第２の電極の周縁部を覆う第２の絶縁層と、
前記第２の電極の上面部から前記第２の絶縁層の上面部平面領域に沿って設けられた有機エレクトロルミネセンス層と、
前記有機エレクトロルミネセンス層上に設けられた第３の電極と、を有し、
前記第２の電極は、少なくとも前記第１の絶縁層の開口端部において段差部を有し、
前記段差部のある領域を含み、前記第２の電極、前記有機エレクトロルミネセンス層及び前記第３の電極が重畳する領域が発光領域であること
を特徴とする有機エレクトロルミネセンス装置。
【請求項９】
前記第２の電極は光反射面を有し、前記段差部において、前記光反射面が屈曲している、請求項８に記載の有機エレクトロルミネセンス装置。
【請求項１０】
前記第２の電極が、アルミニウム（Ａｌ）又は銀（Ａｇ）による金属層と、前記金属層の上面に設けられた透明導電膜層とを有する、請求項９に記載の有機エレクトロルミネセンス装置。
【請求項１１】
発光制御素子と接続する第１の電極と、
前記第１の電極の周縁部を埋設すると共に前記第１の電極の周縁部より内側領域を露出させる第１の開口部と、前記第１の電極の外側領域に開口端部が位置する第２の開口部と、を有する第１の絶縁層と、
前記第１の絶縁層の前記第１の開口部において、前記第１の電極と接し、前記第１の電極の上面部から前記第１の絶縁層の上表面にかけて連続して設けられた第２の電極と、
前記第２の電極の周縁部を覆う第２の絶縁層と、
前記第２の電極の上面部から前記第２の絶縁層の上面部平面領域に沿って設けられた有機エレクトロルミネセンス層と、
前記有機エレクトロルミネセンス層上に設けられた第３の電極と、を有し、
前記第２の電極は、前記第１の絶縁層の前記第１の開口部の開口端部に第１の段差部を、前記第２の開口部の開口端部において第２の段差部を有し、
前記第１の段差部及び前記第２の段差部のある領域を含み、前記第２の電極、前記有機エレクトロルミネセンス層及び前記第３の電極が重畳する領域が発光領域であること
を特徴とする有機エレクトロルミネセンス装置。
【請求項１２】
前記第２の電極は光反射面を有し、前記第１の段差部及び前記第２の段差部において、前記光反射面が屈曲している、請求項１１に記載の有機エレクトロルミネセンス装置。
【請求項１３】
前記第２の電極が、アルミニウム（Ａｌ）又は銀（Ａｇ）による金属層と、前記金属層の上面に設けられた透明導電膜層とを有する、請求項１２に記載の有機エレクトロルミネセンス装置。
【請求項１４】
前記第１の段差部と前記第２の段差部は傾斜面を有する、請求項１１に記載の有機エレクトロルミネセンス装置。
【請求項１５】
前記第１の段差部の傾斜面は、前記第２の段差部の傾斜面より傾斜角が小さい、請求項１１に記載の有機エレクトロルミネセンス装置。
【請求項１６】
発光制御素子と接続する第１の電極と、
前記第１の電極の周縁部を埋設すると共に前記第１の電極の周縁部より内側領域を露出させる第１の開口部と、前記第１の電極の外側領域に開口端部が位置する第２の開口部とを有する第１の絶縁層と、
前記第１の絶縁層の前記第１の開口部において、前記第１の電極と接し、前記第１の電極の上面部から前記第１の絶縁層の上表面にかけて連続して設けられた第２の電極と、
前記第２の電極の周縁部及び前記第１の絶縁層における前記第２の開口部の開口端部を覆う第２の絶縁層と、
前記第２の電極の上面部から前記第２の絶縁層の上面部平面領域に沿って設けられた有機エレクトロルミネセンス層と、
前記有機エレクトロルミネセンス層上に設けられた第３の電極と、を有し、
前記第２の電極は、前記第１の絶縁層の第１の開口部の開口端部に第１の段差部を、第２の開口部の開口端部において前記第２の絶縁層に埋設される第２の段差部を有し、
前記第１の段差部、前記第２の電極、前記有機エレクトロルミネセンス層及び前記第３の電極が重畳する領域が発光領域であること
を特徴とする有機エレクトロルミネセンス装置。
【請求項１７】
前記第２の電極は光反射面を有し、前記第１の段差部及び前記第２の段差部において、前記光反射面が屈曲している、請求項１６に記載の有機エレクトロルミネセンス装置。
【請求項１８】
前記第２の電極が、アルミニウム（Ａｌ）又は銀（Ａｇ）による金属層と、前記金属層の上面に設けられた透明導電膜層とを有する、請求項１７に記載の有機エレクトロルミネセンス装置。
【請求項１９】
前記第３の電極上にパッシベーション膜をさらに含み、前記第３の電極及び前記パッシベーション膜の一部は前記第１の絶縁層の前記開口部の内側に設けられている、請求項１に記載の有機エレクトロルミネセンス装置。
【請求項２０】
複数の画素がマトリクス状に配列された画素領域と、前記画素領域に設けられた複数のゲート信号線と複数のデータ信号線と、を含み、
前記ゲート信号線と前記データ信号線は互いに交差するように設けられ、前記複数の画素の各々は、前記複数のゲート信号線と前記複数のデータ信号線によって囲まれており、
前記複数の画素のそれぞれは、前記第１の電極、前記第２の電極、前記第３の電極、前記第１の絶縁層、前記第２の絶縁層、及び前記有機エレクトロルミネセンス層を含み、
前記第３の電極、前記第１の絶縁層、前記第２の絶縁層、及び前記有機エレクトロルミネセンス層は前記複数の画素で共有されている、請求項１に記載の有機エレクトロルミネセンス装置。
【請求項２１】
前記ゲート信号線に平行な断面視において、前記第１の絶縁層の前記開口部の幅は、前記第２の絶縁層の幅から前記第１の絶縁層の幅を差し引いた幅よりも広い、請求項２０に記載の有機エレクトロルミネセンス装置。